(57)【要約】【課題】  携帯電話端末の番号変更時の変更作業を簡単且つ迅速に実行可能にする携帯電話システムおよび電話番号変更方法を提供する。【解決手段】  携帯電話端末２０Ａを異なる電話番号の携帯電話端末２０Ｂに変更する際に、携帯電話端末２０Ａの電話帳２２のデータをサーバ４０の吸上げ部４１により吸上げる。この電話帳２２のデータに基づき相手先の携帯電話端末３０の電話帳の該当するデータを発信規制する発信規制情報をサーバ４０の通信部４２から配信して相手先の携帯電話端末３０の表示部に表示する。この表示に基づき、相手先の携帯電話端末３０のユーザは、サーバ４０へアクセスして新規データのダウンロードを要求し、受け取った新規データに基づき電話帳を更新する。【選択図】  図１
2007235728.tif 000002
【特許請求の範囲】
【請求項１】
電話帳データを内蔵する電話帳機能を有し、前記電話帳データを使用して相手先の携帯電話端末を呼び出して通話する携帯電話システムにおいて、
前記携帯電話端末がアクセス可能に構成され、前記携帯電話端末の電話番号変更時に前記電話帳データを吸上げる電話帳データ吸上げ部および該電話帳データ吸上げ部で吸上げられた電話帳データの相手先の携帯電話端末との間で前記電話帳データが吸上げられた携帯電話端末に関する通信を行う通信部を含むサーバを備え、
該サーバは、前記電話帳データが吸上げられた携帯電話端末に関する相手先の携帯電話端末の電話帳データの該当番号を発信規制する発信規制情報を送信することを特徴とする携帯電話システム。
【請求項２】
前記サーバから発信規制情報の送信を受けた前記相手先の携帯電話端末の前記電話帳の該当部分には、発信規制されていることを識別可能に表示することを特徴とする請求項１に記載の携帯電話システム。
【請求項３】
前記サーバから前記発信規制情報の送信を受けた前記相手先の携帯電話端末は、前記サーバにアクセスして前記電話帳データが吸上げられた携帯電話端末の更新されたデータを取得することを特徴とする請求項２に記載の携帯電話システム。
【請求項４】
前記相手先の携帯電話端末は、前記サーバにアクセスして前記電話番号の変更があった携帯電話端末の電話帳データをダウンロードして前記電話帳データを更新することを特徴とする請求項３に記載の携帯電話システム。
【請求項５】
前記サーバは、前記発信規制情報の送信から一定期間内に前記発信規制情報が送信した携帯電話から前記アクセスがない場合には、当該電話帳データを削除ことを特徴とする請求項３に記載の携帯電話システム。
【請求項６】
携帯電話端末の電話番号の変更を、電話帳に含まれる相手先の携帯電話端末に通知する携帯電話端末の番号変更通知方法において、
前記電話帳に含まれる電話帳データをサーバに吸上げるステップと、
前記サーバにより吸上げられた電話帳データの相手先へ発信規制情報を送信するステップと、
前記発信機性情報を受信した携帯電話端末の利用者が前記サーバに対して前記変更された電話番号に関する情報の送信を要求するステップと、
該情報送信要求に応じて要求された番号情報を送信して前記相手先の携帯電話端末の電話帳データを更新するステップと、を備えることを特徴とする携帯電話端末の番号変更通知方法。
【請求項７】
前記発信規制情報を受信した前記相手先の携帯電話端末の電話帳データの該当データ部分は、他のデータ部分と識別可能に表示する表示ステップを更に備えることを特徴とする請求項６に記載の携帯電話端末の番号変更通知方法。
【請求項８】
前記サーバに吸い上げられた携帯電話端末の電話帳データのうち、相手先の携帯電話端末へ前記発信規制情報を送信する前に相手先を予め決定するステップを更に備えることを特徴とする請求項６又は７に記載の携帯電話端末の番号変更通知方法。
【請求項９】
前記サーバから送信された前記発信規制情報に対して前記相手先の携帯電話端末から一定期間内に前記サーバにアクセスがあるか否かを判断し、前記一定期間を超えるものは電話帳から削除するステップを更に備えることを特徴とする請求項６、７又は８に記載の携帯電話端末の番号変更通知方法。
【発明の詳細な説明】
【技術分野】
【０００１】
本発明は携帯電話システムおよび携帯電話端末の番号変更方法に関し、特に携帯電話の電話番号を変更した場合に変更通知を容易にする携帯電話システムおよび携帯電話端末の番号変更通知方法に関する。
【背景技術】
【０００２】
携帯電話端末は、小型且つ高性能化が進展し、老若男女を含め多くのユーザにとり、多くの通信相手との対話又は情報交換を行うと共に多数のデータベースから、ニュース、音楽その他の情報を迅速且つ容易に取得可能であるので、今や生活上の必需品といっても過言ではない。
【０００３】
携帯電話端末を使用して相手と通話するには、携帯電話端末の電話帳機能を利用して電話帳を呼び出して液晶表示パネル（ＬＣＤ）等の表示部に表示する。この電話帳に含まれるデータは、ユーザの好みに応じて所定の順序（例えば、通話頻度の高い順、アルファベット順、最近の通話順等）に編集されて表示される。この表示に基づいて、相手先を選択して通話釦を押下することにより相手先が呼び出されて通話が可能である。
【０００４】
このように便利な携帯電話は、極めて便利な通信手段であるが、その便利さ故に不便もある。例えば、新たなサービスの提供を受けるため、ユーザ（利用者）に有利な料金制度のサービスを受けるため又はその他の理由で携帯電話端末を交換する又は携帯電話端末を別の端末と交換したい場合がある。また、自己の携帯電話番号が他人に漏洩していたずら電話等の被害を受ける場合には、止むを得ず電話番号を変更する場合もある。
【０００５】
上述の如き理由で携帯電話端末の電話番号を変更する場合には、今まで使用していた携帯電話端末の電話帳データが使用できないので、新たに電話帳データを入力する必要があると共に自己の携帯電話端末の電話帳データに含まれる相手先の全て又はその一部へ携帯電話番号の変更通知を個別に行う必要が生じる。この電話番号変更の通知は、相手先が多数である場合には時間的にも費用的にも容易ではない。即ち、相手先の携帯電話等に電話して変更通知するのが一般的であるが、相手先の都合により１回の呼び出しで通話でき番号の変更通知ができるとは限らず、誰に通知でき、誰に通知できなかったかを管理して、全員に周知徹底するのは容易ではない。この電話番号の変更通知を確実に行わなければ、相手先は新たにその電話番号の持ち主となった別人に間違い電話をするか、「この電話は現在使用されていません」との自動応答メッセージを聞かされることになる。
【０００６】
斯かる不便を軽減するための幾つかの技術が開示又は提案されている。機種変更等により電話番号が変更になったとき、携帯電話端末の電話帳データを電話帳読取装置で読み取り、送信装置から公衆網を介して通信事業者が電話番号変更の通知を同報する電話番号通知システムおよび電話番号通知方法が開示されている（例えば、特許文献１参照。）。また、電話会社で電話番号を変更し、電話番号が変更された電話機（古い電話機）内に設けられたメモリ（電話帳）に登録された電話番号を読み取り、その電話番号を解析してその電話番号の電話機へ通信サービスを提供する電話会社へ、電話番号の変更を通知する通信番号管理方法および通信番号管理装置が開示されている（例えば、特許文献２参照。）。更に、１人の利用者端末からメールサーバにアドレス変更を指示して、そのアドレス帳に登録されている他の利用者端末のアドレス帳を自動的に変更することにより、アドレス帳の変更による利用者の負担を軽減するアドレス帳変更方法およびネットワークシステムが開示されている（例えば、特許文献３参照。）。
【０００７】
【特許文献１】特開２００４−２３４８５号公報（第４頁、第１図）
【特許文献２】特開２００４−２２９２０１号公報（第８頁、第７図）
【特許文献３】特開２００５−３３７３３号公報（第７頁、第１図）
【発明の開示】
【発明が解決しようとする課題】
【０００８】
上述の如き従来の携帯電話システム又は携帯電話の番号変更方法は、幾つかの課題を有する。即ち、携帯電話端末の電話帳データを読取装置等の使用により相手先携帯電話に同報送信して更新すると、機種変更等のために電話番号を変更する利用者が、相手先の携帯電話へ個別に通知する手間は省ける。しかし、相手先の携帯電話の利用者が全く知らない間に自分の携帯電話の電話帳のデータが改変されるのという不快感が残る。携帯電話の利用者の多くは、自分の携帯電話機の電話帳を自分の意思で作成することを望む（換言すると、他人の関与を望まない）。
【０００９】
また、電話帳は携帯電話以外にも複数存在し得るが、それらの電話帳は更新されないので、これら複数の電話帳のデータ間に相違が生じ、何れの電話帳のデータが正しいのか不明である。更に、自動的に電話帳データが更新されると、何らかの理由により電話帳によらず自分の記憶に基づいて発呼する場合（例えば、他人の携帯電話を借りて相手先に発呼する場合）に、相手先の電話番号が変更されたことに気づかず、間違いを生じるという課題もある。
【００１０】
本発明は、従来技術の上述した課題に鑑みなされたものであり、斯かる課題を解消又は軽減可能な携帯電話システムおよび携帯電話端末の番号変更通知方法を提供することを目的とする。
【課題を解決するための手段】
【００１１】
前述の課題を解決するために、本発明による携帯電話システムおよび携帯電話端末の番号変更通知方法は、次のような特徴的な構成を採用している。
【００１２】
（１）電話帳データを内蔵する電話帳機能を有し、前記電話帳データを使用して相手先の携帯電話端末を呼び出して通話する携帯電話システムにおいて、
前記携帯電話端末がアクセス可能に構成され、前記携帯電話端末の電話番号変更時に前記電話帳データを吸上げる電話帳データ吸上げ部および該電話帳データ吸上げ部で吸上げられた電話帳データの相手先の携帯電話端末との間で前記電話帳データが吸上げられた携帯電話端末に関する通信を行う通信部を含むサーバを備え、
該サーバは、前記電話帳データが吸上げられた携帯電話端末に関する相手先の携帯電話端末の電話帳データの該当番号を発信規制する発信規制情報を送信する携帯電話システム。
（２）前記サーバから発信規制情報の送信を受けた前記相手先の携帯電話端末の前記電話帳の該当部分には、発信規制されていることを識別可能に表示する上記（１）の携帯電話システム。
（３）前記サーバから前記発信規制情報の送信を受けた前記相手先の携帯電話端末は、前記サーバにアクセスして前記電話帳データが吸上げられた携帯電話端末の更新されたデータを取得する上記（２）の携帯電話システム。
（４）前記相手先の携帯電話端末は、前記サーバにアクセスして前記電話番号の変更があった携帯電話端末の電話帳データをダウンロードして前記電話帳データを更新する上記（３）の携帯電話システム。
（５）前記サーバは、前記発信規制情報の送信から一定期間内に前記発信規制情報が送信した携帯電話から前記アクセスがない場合には、当該電話帳データを削除する上記（３）の携帯電話システム。
（６）携帯電話端末の電話番号の変更を、電話帳に含まれる相手先の携帯電話端末に通知する携帯電話端末の番号変更通知方法において、
前記電話帳に含まれる電話帳データをサーバに吸上げるステップと、
前記サーバにより吸上げられた電話帳データの相手先へ発信規制情報を送信するステップと、
前記発信機性情報を受信した携帯電話端末の利用者が前記サーバに対して前記変更された電話番号に関する情報の送信を要求するステップと、
該情報送信要求に応じて要求された番号情報を送信して前記相手先の携帯電話端末の電話帳データを更新するステップと、を備える携帯電話端末の番号変更通知方法。
（７）前記発信規制情報を受信した前記相手先の携帯電話端末の電話帳データの該当データ部分は、他のデータ部分と識別可能に表示する表示ステップを更に備える上記（６）の携帯電話端末の番号変更通知方法。
（８）前記サーバに吸い上げられた携帯電話端末の電話帳データのうち、相手先の携帯電話端末へ前記発信規制情報を送信する前に相手先を予め決定するステップを更に備える上記（６）又は（７）の携帯電話端末の番号変更通知方法。
（９）前記サーバから送信された前記発信規制情報に対して前記相手先の携帯電話端末から一定期間内に前記サーバにアクセスがあるか否かを判断し、前記一定期間を超えるものは電話帳から削除するステップを更に備える上記（６）、（７）又は（８）の携帯電話端末の番号変更通知方法。
【発明の効果】
【００１３】
本発明の携帯電話システムおよび携帯電話端末の番号変更通知方法によると、次の如き実用上の顕著な効果が得られる。即ち、電話番号の変更手続が容易（相手先との個別の通知を行うことなく、サーバによる電話帳データの吸い上げで迅速且つ安価）になり、機種変更等の電話番号の変更を気楽に行うことが可能である。また、相手先の携帯電話の電話帳の更新は、それぞれの利用者の意思で行うことができるので、電話番号の変更があったことを認識できる。更に、番号変更があった場合には、発信規制されるので、間違い電話等をかける虞を排除可能である。また、番号変更があった場合には、発信規制されたことが自己の携帯電話の電話帳にその状態が表示されるので、利用者は容易に認識可能であり、自分の都合のよいときに更新手続することが可能である。
【発明を実施するための最良の形態】
【００１４】
以下、本発明による携帯電話システムおよび携帯電話端末の番号変更通知方法の好適実施形態を、添付図面を参照して詳細に説明する。
【００１５】
先ず、図１は、本発明による携帯電話システムの好適実施例の全体構成を示すシステム構成図である。この携帯電話システム１０は、複数の携帯電話端末２０、３０およびサーバ４０により構成される。各携帯電話端末２０、３０は、１以上の無線基地局（図示せず）を含む携帯電話網を介して無線によりサーバ４０にアクセス可能に構成されている。
【００１６】
図１に示す携帯電話システム１０において、携帯電話端末２０は、少なくとも表示部２１、電話帳２２およびメール機能部２３を含んでいる。携帯電話端末３０も同様構成である。また、サーバ４０は、少なくとも携帯電話端末２０、３０の電話帳２２から電話帳データを吸上げ又は読み取るデータ吸上げ部４１および携帯電話端末３０と通信して、必要な情報の送受信を行う通信部４２を含んでいる。
【００１７】
次に、図１に示す携帯電話システム１０において、携帯電話端末２０の利用者が、上述の如き理由により、携帯電話端末２０Ａから別の電話番号の携帯電話端末２０Ｂへ番号変更をする場合の概略動作を説明する。尚、この場合において、携帯電話端末２０Ａおよび２０Ｂは、電話番号が異なる限り、同じ携帯電話端末又は別の携帯電話端末の何れでもよい。また、携帯電話端末３０Ａ〜３０Ｎは、携帯電話端末２０の電話帳２２に登録されている複数の携帯電話端末であると仮定する。
【００１８】
先ず、携帯電話端末の電話番号を変更しようとする携帯電話端末２０の利用者は、携帯電話端末２０Ａでサーバ４０にアクセス（接続）する。このアクセスにより、サーバ４０のデータ吸上げ部４１は、携帯電話端末２０Ａの電話帳２２に含まれる電話帳データを吸上げる。次に、サーバ４０は、その通信部４２から、この電話帳データに含まれる携帯電話端末３０Ａ〜３０Ｎに対して当該携帯電話端末（即ち、携帯電話端末２０Ａ）の電話番号に対して「発信規制情報」を配信する。この発信規制情報を受け取った携帯電話端末３０Ａ〜３０Ｎは、表示部にその電話番号が発信規制されていることを表示する。この発信規制状態の表示は、携帯電話端末の利用者が一目瞭然に識別可能な表示、例えば表示部に表示される電話帳データのうち該当部分のデータを異なる色、白黒反転、ブリンキング（所定周期での点滅）表示等で行うのが好ましい。従って、この発信規制された番号で携帯電話端末３０が発信を試みても、発信動作が規制され何らの発信動作は行われないので、間違い電話や不使用電話への発信が阻止される。
【００１９】
一方、サーバ４０からの発信規制情報を受けた携帯電話端末３０の利用者は、サーバ４０へアクセスすることにより、その通信部４２から携帯電話端末３０Ｂの電話番号を受け取り、それぞれの携帯電話端末３０の電話帳の該当部分のデータを更新することが可能である。即ち、その操作以降に携帯電話端末３０から電話帳を使用する発信は、携帯電話端末２０Ａではなく、新しい又は変更後の携帯電話端末３０Ｂへ着信することとなる。
【００２０】
次に、図２および図３のフローチャートを参照して、本発明による携帯電話端末の番号変更通知方法の実施例について詳細に説明する。図２は、相手先携帯電話端末３０における電話帳の発信規制設定手順を示すフローチャートである。一方、図３は、相手先携帯電話３０によるサーバ４０から更新された電話番号取得手順を示すフローチャートである。
【００２１】
先ず、図２を参照して説明する。携帯電話端末２０Ａの電話帳２２のデータを整理して番号変更通知先を決定する（ステップＳ１１）。即ち、携帯電話端末２０（携帯電話端末３０も同様）の電話帳２２には、その利用者が予め自己の電話番号を通知し双方向で通信、即ち送受信する相手先と共に一方的に発信する相手先（例えば、病院、美容院、馴染みの店、ホテル等）の電話番号も含まれる。自己の電話番号変更の通知が必要な相手先は、電話帳２２のデータのうち前者のみである。そこで、携帯電話端末２０Ａの電話帳２２のデータから該当する相手先データのみを選択設定する操作である。この操作は、携帯電話端末２０の利用者が電話帳２２のデータから予めチェックマーク等その他の手段で選択してもよいが、サーバ４０により電話帳２２のデータと携帯電話端末２０の受信記録を対比して決定することも可能である。
【００２２】
次に、利用者が携帯電話端末２０Ａから２０Ｂに買い替え（又は変更）手続をする際に、携帯電話通信のサービス事業者のサーバ４０の吸上げ部４１にて、携帯電話端末２０Ａの電話帳データを吸上げる（ステップＳ１２）。そして、電話会社のサーバ４０から電話帳データのうち上述したステップＳ１１で選択された相手先の携帯電話端末３０（即ち、相手先携帯電話端末３０Ａ〜３０Ｎの全て又は一部）に発信規制情報を配信する（ステップＳ１３）。ここで、先ず電話帳データで決定された携帯電話端末３０に該当電話があるか否か確認又は判断する（ステップＳ１４）。これは、携帯電話端末２０Ａの電話帳２２のデータが全て更新されているとは限らず、既に存在しない携帯電話端末の番号の場合もあるため、それを確認するためのステップである。
【００２３】
上述した確認ステップ（ステップＳ１４）において、該当電話が「ない」場合には、発信機性情報の配信失敗とし、何もしない（ステップＳ１５）。一方、確認ステップで該当電話が「ある」場合には、該当する携帯電話端末（例えば、３０Ａ）の電話帳データを発信規制に変更する（ステップＳ１６）。そして、この携帯電話端末（例えば、３０Ａ）の電話帳データに「新規データ更新ステータス」を付加する（ステップＳ１７）。この新規データ更新ステータスは、該当する相手先の携帯電話端末（例えば、３０Ａ）の表示部にその旨が表示される。最後に、該当する相手先の携帯電話端末（例えば、３０Ａ）がサーバ４０への電話帳データの更新準備完了状態となる（ステップＳ１８）。
【００２４】
次に、図３を参照して、相手先携帯電話端末３０がサーバ４０から電話帳データの更新データを取得する手順を説明する。ここでは、上述した図２のステップＳ１８において、携帯電話端末（例えば、３０Ａ）がサーバ４０への電話帳データ更新準備完了、即ちスタンバイ状態である（ステップＳ２１）とする。
【００２５】
携帯電話端末３０の発信規制中に、サーバ４０の通信部４２から新しい電話帳データを取得する更新ボタンを押下し、サーバ４０に対して更新データを要求する（ステップＳ２２）。次に、サーバ４０の通信部４２は、相手先の携帯電話端末３０からの新規データダウンロード要求を受信し（ステップＳ２３）、サーバ４０は、相手先携帯電話端末３０へ新規データを配信する（ステップＳ２４）。サーバ４０からこの新規データが配信された相手先の携帯電話端末３０は、その電話帳のデータを新規データに更新する（ステップＳ２５）。このようにして、相手先の携帯電話端末３０Ａ〜３０Ｎのうちの有効な携帯電話端末の全てに対して必要な電話帳データの更新が完了する（ステップＳ２６）。
【００２６】
以上、本発明による携帯電話システムおよび携帯電話端末の電話番号変更方法の好適実施形態の構成および動作を詳述した。しかし、斯かる実施形態は、本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。
【００２７】
例えば、上述の実施形態では、携帯電話端末の電話番号の変更およびその相手先への通知について説明したが、メールアドレスの変更についても同様である。更に、サーバからの発信規制情報の配信に対して、該当する相手先の携帯電話端末がサーバにアクセスして行う新規データのダウンロード要求を、サーバにて管理し、一定期間（例えば、１週間又は１０日間）以内にダウンロード要求がなされない場合には、その情報を電話帳から削除するようにしてもよい。これにより、携帯電話端末の番号変更を契機に、変更後の携帯電話端末２０Ｂの電話帳の整理が可能である。
【図面の簡単な説明】
【００２８】
【図１】本発明による携帯電話システムの好適実施形態のシステム構成図である。
【図２】図１の携帯電話システムで使用可能な本発明による携帯電話番号変更方法の好適実施形態の相手先電話帳の発信規制設定手順を示すフローチャートである。
【図３】図２のフローチャートに続く、サーバへの電話帳データ取得手順を示すフローチャートである。
【符号の説明】
【００２９】
１０  携帯電話システム
２０、３０  携帯電話端末
２１  表示部
２２  電話帳
２３  メール部
４０  サーバ
４１  データ吸上げ部
４２  通信部
【図１】
2007235728.tif 000003
【図２】
2007235728.tif 000004
【図３】
2007235728.tif 000005